(57)【要約】      （修正有）【課題】生活用品の技術分野に属するリュック傘を提供する。【解決手段】リュック傘は、傘面、傘骨、中棒及び傘柄６を含み、傘面は第１傘面３と第２傘面４を含む。傘骨は２本の第１傘骨１と５本の第２傘骨２を含む。傘面は傘骨を被覆する。傘骨は中棒５の上端の上ろくろと下ろくろに接続され、傘柄は中棒の下端に接続される。第１傘骨の基端には第１傘骨の基端骨が接続されており、且つ、第１傘骨には第１傘骨の基端骨に接続される第１傘骨ワイヤーが設けられていて、第１傘骨の長さが第２傘骨の長さよりも大きくなるよう設計することで、第２傘面を突出させている。突出した第２傘面により使用者の背後のスペースを十分に覆うことが可能なため、カバンの濡れが効果的に回避され、第１傘骨の折り畳み後の長さは第２傘骨の折り畳み後の長さとほぼ同等となるため、折り畳み後の傘を効果的に最適長さに制御可能であり、折り畳み及び携帯が容易となる。【選択図】図１
0003223041.tif 000002
【実用新案登録請求の範囲】
【請求項１】
傘面、傘骨、中棒（５）及び傘柄（６）を含み、傘面は、第１傘面（３）と第２傘面（４）を含み、
傘骨は２本の第１傘骨（１）と５本の第２傘骨（２）を含み、
傘面は傘骨を被覆し、傘骨は中棒（５）の上端の上ろくろ（５１）と下ろくろ（５２）に接続され、傘柄（６）は中棒（５）の下端に接続され、
第１傘骨（１）の基端には第１傘骨の基端骨（１２）が接続されており、且つ、第１傘骨（１）には第１傘骨の基端骨（１２）に接続される第１傘骨ワイヤー（１１）が設けられていることを特徴とするリュック傘。
【請求項２】
第１傘骨（１）の長さは第２傘骨（２）の長さよりも大きく、第１傘骨の基端骨（１２）は第２傘面（４）で被覆されており、第２傘面（４）の両端は第１傘骨（１）に隣接する２本の第２傘骨（２）の先端を被覆しており、
傘を開く場合、第１傘骨（１）は第１傘骨の基端骨（１２）を伴って広がり、第２傘面（４）を展開することを特徴とする請求項１に記載のリュック傘。
【請求項３】
傘を折り畳む場合、第１傘骨（１）の折り畳みに伴って、第１傘骨のワイヤー（１１）が第１傘骨の基端骨（１２）を反転させつつ回収して第２傘面（４）を折り畳み、第１傘骨（１）の折り畳み後の長さは第２傘骨（２）の折り畳み後の長さとほぼ同等であることを特徴とする請求項１に記載のリュック傘。
【請求項４】
前記第１傘面（３）と第２傘面（４）は一体成型により設計されることを特徴とする請求項１に記載のリュック傘。
【考案の詳細な説明】
【技術分野】
【０００１】
本考案は生活用品の技術分野に属し、具体的にはリュック傘に関する。
【背景技術】
【０００２】
傘は日差しや雨を避けるための生活用品であるが、従来の傘は広げたときに傘面が円形又は正多角形に類似した形状となる。そのため、傘面の面積に限界があり、雨天には学生らが背負うカバンが雨に濡れやすい。カバンの材質が防水材料でない場合には中の本が湿るため、学生らの勉強に支障をきたす。
【考案の概要】
【考案が解決しようとする課題】
【０００３】
上記の背景技術で提示した課題を解決するために、本考案は、雨天にユーザが傘をさす際に傘面面積の限界から背負ったカバンを雨による濡れから効果的に遮れないとの従来技術における技術的課題を解決し、ユーザの背後スペースを十分に覆うことで、雨によるカバンの濡れを効果的に回避するリュック傘を提供する。
【課題を解決するための手段】
【０００４】
上記の目的を実現すべく、本考案は以下の技術方案を提供する。
【０００５】
リュック傘であって、傘面、傘骨、中棒及び傘柄を含み、傘面は、第１傘面と第２傘面を含み、傘骨は２本の第１傘骨と５本の第２傘骨を含み、傘面は傘骨を被覆し、傘骨は中棒の上端の上ろくろと下ろくろに接続され、傘柄は中棒の下端に接続され、第１傘骨の基端には第１傘骨の基端骨が接続されており、且つ、第１傘骨には第１傘骨の基端骨に接続される第１傘骨ワイヤーが設けられている。
【０００６】
好ましくは、第１傘骨の長さは第２傘骨の長さよりも大きく、第１傘骨の基端骨は第２傘面で被覆されており、第２傘面の両端は第１傘骨に隣接する２本の第２傘骨の先端を被覆しており、傘を開く場合、第１傘骨は第１傘骨の基端骨を伴って広がり、第２傘面を展開することで、第２傘面が使用者の背後のスペースを十分に覆うことが可能なため、カバンの濡れが効果的に回避される。
【０００７】
好ましくは、傘を折り畳む場合、第１傘骨の折り畳みに伴って、第１傘骨のワイヤーが第１傘骨の基端骨を反転させつつ回収して第２傘面を折り畳み、第１傘骨の折り畳み後の長さが第２傘骨の折り畳み後の長さとほぼ同等となる。そのため、折り畳み後の傘を効果的に最適長さに制御可能であり、折り畳み及び携帯が容易となる。
【０００８】
好ましくは、第１傘面と第２傘面は一体成型により設計される。
【考案の効果】
【０００９】
従来技術と比較して、本考案は以下の有益な効果を有する。
【００１０】
本考案は、第１傘骨の長さが第２傘骨の長さよりも大きくなるよう、第１傘骨の基端に第１傘骨の基端骨を接続することで第２傘面を突出させている。突出した第２傘面により使用者の背後の空間を十分に覆うことが可能なため、カバンの濡れが効果的に回避される。第１傘骨の折り畳みに伴って、第１傘骨のワイヤーが第１傘骨の基端骨を反転させつつ回収し、第２傘面を折り畳む。第１傘骨の折り畳み後の長さは第２傘骨の折り畳み後の長さとほぼ同等となるため、折り畳み後の傘を効果的に最適長さに制御可能であり、折り畳み及び携帯が容易となる。また、構造全体がシンプルで見た目が美しく、且つ、実施しやすいことから実用性に極めて優れる。
【００１１】
図面は本考案の更なる理解のために用いられる。また、図面は明細書の一部を構成し、本考案の実施例とともに本考案を解釈するために用いられるが、本考案を限定するものではない。
【図面の簡単な説明】
【００１２】
【図１】図１は、本考案のリュック傘の構造を示す図である。
【図２】図２は、本考案におけるリュック傘の傘骨と中棒の接続を示す図である。
【図３】図３は、本考案のリュック傘の平面図である。
【図４】図４は、本考案のリュック傘の実施例を示す図である。
【考案を実施するための形態】
【００１３】
以下に、本考案の実施例における図面を組み合わせて、本考案の実施例における技術方案につき明瞭簡潔に述べる。なお、ここで記載する実施例は本考案の一部実施例にすぎず、すべての実施例でないことはいうまでもない。本考案の実施例に基づいて、当業者が創造的労働を要することなく取得するその他すべての実施例は、いずれも本考案による保護の範囲に属する。
【実施例１】
【００１４】
図１〜４を参照して、本考案は以下の技術方案を提供する。即ち、リュック傘であって、傘面、傘骨、中棒５及び傘柄６を含む。傘面は、第１傘面３と第２傘面４を含む。傘骨は２本の第１傘骨１と５本の第２傘骨２を含む。傘面は傘骨を被覆する。傘骨は中棒５の上端の上ろくろ５１と下ろくろ５２に接続され、傘柄６は中棒５の下端に接続される。第１傘骨１の基端には第１傘骨の基端骨１２が接続されており、且つ、第１傘骨１には第１傘骨の基端骨１２に接続される第１傘骨ワイヤー１１が設けられている。
【００１５】
具体的には、第１傘骨１の長さは第２傘骨２の長さよりも大きい。第１傘骨の基端骨１２は第２傘面４で被覆されており、第２傘面４の両端は第１傘骨１に隣接する２本の第２傘骨２の先端を被覆している。傘を開くと、第１傘骨１が第１傘骨の基端骨１２を伴って広がり、第２傘面４を展開する。第２傘面４は使用者の背後のスペースを十分に覆うことが可能なため、カバンの濡れが効果的に回避される。
【００１６】
具体的に、傘を折り畳む際には、第１傘骨１の折り畳みに伴って、第１傘骨のワイヤー１１が第１傘骨の基端骨１２を反転させつつ回収し、第２傘面４を折り畳む。第１傘骨１の折り畳み後の長さは第２傘骨２の折り畳み後の長さとほぼ同等となるため、折り畳み後の傘を効果的に最適長さに制御可能であり、折り畳み及び携帯が容易となる。
【００１７】
具体的に、第１傘面３と第２傘面４は一体成型により設計される。
【００１８】
本考案の動作原理及び使用フローは次の通りである。
【００１９】
本考案は使用時において、傘を広げる場合、広げられた第１傘骨１の長さが第２傘骨２の長さよりも大きくなる。第１傘骨１は第１傘骨の基端骨１２を伴って広がり、第２傘面４を展開することで、第２傘面４が使用者の背後のスペースを十分に覆うことが可能となる。これにより、カバンの濡れが効果的に回避される。一方、傘を折り畳む際には、第１傘骨１の折り畳みに伴って、第１傘骨のワイヤー１１が第１傘骨の基端骨１２を反転させつつ回収し、第２傘面４を一緒に折り畳む。このとき、第１傘骨１の折り畳み後の長さが第２傘骨２の折り畳み後の長さとほぼ同等となるため、折り畳み後の傘を効果的に最適長さに制御可能であり、折り畳み及び携帯が容易となる。
【００２０】
最後に、以上は本考案の好ましい実施例にすぎず、本考案を制限するものではない。上記の実施例を参照して本考案につき詳細に説明したが、当業者であれば、上記の各実施例に記載した技術方案の変更や、一部技術的特徴の等価の置き換えも可能である。本考案の精神及び原則の範囲内で実施されるあらゆる変更、等価の置き換え、改良等はいずれも本考案による保護の範囲に含まれる。
【図１】
0003223041.tif 000003
【図２】
0003223041.tif 000004
【図３】
0003223041.tif 000005
【図４】
0003223041.tif 000006